(57)【特許請求の範囲】
【請求項１】
オスルアーテーパーが先端部の外周面に設けられた筒状の口部および前記口部よりも大径の胴部を有するシリンジ本体と、
メスルアーテーパーが内周面に設けられた他部材と接続する際に用いられ、前記口部に着脱可能に取り付けられた接続具とを備えるシリンジであって、
前記口部の外周面には、凸部が設けられており、
前記接続具は、
前記口部と同軸であって、前記口部の一部分を内側に収容する筒部材と、
軸方向から見て前記口部と同軸の円弧状であって、前記口部および前記筒部材に対して軸方向に直交する方向に装着されて、前記筒部材の前記口部に対する軸方向移動を規制する円弧状部材とを有しており、
前記筒部材は、
メスネジが内周面に設けられた筒本体と、
前記筒本体の軸方向に関して前記胴部に近い方の端部に形成された、前記筒本体の内周面および外周面から突出する環状板とを有し、
前記環状板の内周面には、前記筒部材の前記口部に対する回転移動を規制するように、前記凸部が周方向に対向して係合する凹部が設けられており、
前記円弧状部材は、
前記凸部および前記環状板の軸方向に関して前記胴部に近い方の面と対向する第１円弧板と、
前記環状板の前記筒本体の外周面から突出した部分の軸方向に関して前記胴部から遠い方の面と対向する第２円弧板と、
前記第１円弧板と前記第２円弧板の外周端同士を連結する連結部とを有することを特徴とするシリンジ。
【請求項２】
前記凹部が、前記環状板の内周面における軸方向に関して前記胴部に近い方の端部に設けられており、
前記凹部の前記軸方向に関して前記胴部から遠い方の内面が、前記凸部と軸方向に対向することを特徴とする請求項１に記載のシリンジ。
【請求項３】
前記第１円弧板の内周面の角度が、１８０度より大きく、
前記第１円弧板の内周面の周方向一端から他端までの開口幅が、前記口部の前記第１円弧板が装着される位置の外径よりも小さいことを特徴とする請求項１または２に記載のシリンジ。
【発明の詳細な説明】
【技術分野】
【０００１】
本発明は、シリンジ本体に接続具が着脱可能に取り付けられたシリンジに関する。
【背景技術】
【０００２】
医療現場において、シリンジは、注射針、カテーテル、輸液セット等に接続されて使用される。このシリンジと相手方器具との接続方法としては、シリンジの口部を相手方器具の内側に挿入して、口部の先端部の外周面に形成されたオスルアーテーパーと、相手方器具の内周面に形成されたメスルアーテーパーとを嵌合させるだけで接続する方法と、このルアーテーパーによる接続に加えて、口部を内側に収容するようにシリンジに設けられた略筒状の接続具（ルアーロックアダプタ）の内周面に相手方器具を接続する方法（例えば接続具の内周面に設けられたメスネジを相手方器具のオスネジと螺合させる）がある。
【０００３】
この２つの接続方法のどちらでも使用できるように、接続具がシリンジ本体に着脱可能に取り付けられたシリンジがある。例えば特許文献１のシリンジは、接続具に２本のアームが設けられており、このアームの先端の爪部が、シリンジ本体の外周面に設けられた凹部に係合することで、シリンジ本体に接続具が保持される。また、アームの後端を押圧してアームの先端を広げることで、接続具はシリンジ本体から取り外される。
【先行技術文献】
【特許文献】
【０００４】
【特許文献１】特許４５９９８７５号公報
【発明の概要】
【発明が解決しようとする課題】
【０００５】
しかしながら、特許文献１のシリンジの場合、アームの後端を手で摘んだり、アームの後端が他の器具等に接触したりすることで、誤って接続具が外れる虞がある。
また、アームは、細長い棒状の部材であって、外部に露出しているため、他の器具等との接触により破損する虞がある。
【０００６】
そこで、本発明は、接続具の誤脱と破損を防止できるシリンジを提供することを目的とする。
【課題を解決するための手段及び発明の効果】
【０００７】
第１の発明に係るシリンジは、オスルアーテーパーが先端部の外周面に設けられた筒状の口部および前記口部よりも大径の胴部を有するシリンジ本体と、メスルアーテーパーが内周面に設けられた他部材と接続する際に用いられ、前記口部に着脱可能に取り付けられた接続具とを備えるシリンジであって、前記口部の外周面には、凸部が設けられており、前記接続具は、前記口部と同軸であって、前記口部の一部分を内側に収容する筒部材と、軸方向から見て前記口部と同軸の円弧状であって、前記口部および前記筒部材に対して軸方向に直交する方向に装着されて、前記筒部材の前記口部に対する軸方向移動を規制する円弧状部材とを有しており、前記筒部材は、メスネジが内周面に設けられた筒本体と、前記筒本体の軸方向に関して前記胴部に近い方の端部に形成された、前記筒本体の内周面および外周面から突出する環状板とを有し、前記環状板の内周面には、前記筒部材の前記口部に対する回転移動を規制するように、前記凸部が周方向に対向して係合する凹部が設けられており、前記円弧状部材は、前記凸部および前記環状板の軸方向に関して前記胴部に近い方の面と対向する第１円弧板と、前記環状板の前記筒本体の外周面から突出した部分の軸方向に関して前記胴部から遠い方の面と対向する第２円弧板と、前記第１円弧板と前記第２円弧板の外周端同士を連結する連結部とを有することを特徴とする。
【０００８】
この構成によると、口部に設けられた凸部と、筒部材の環状板の内周面に設けられた凹部とが係合していることで、筒部材はシリンジ本体に対して回転移動が規制される。また、第１円弧板の内周端が、口部と胴部との連結部分と、凸部との間で軸方向に挟まれているとともに、環状板の外周端が、第１円弧板と第２円弧板との間で軸方向に挟まれていることで、筒部材および円弧状部材はシリンジ本体に対して軸方向移動が規制される。
接続具をシリンジ本体から取り外す場合には、円弧状部材を軸方向に直交する方向に引き抜いてから、筒部材を軸方向に移動させて取り外す。
したがって、接続具を手で掴んだり、接続具が他の器具等と接触しただけでは、接続具が口部から外れることがないため、接続具の誤脱を防止できる。
また、筒部材および円弧状部材は、軸方向に突出する部分を有しないため、軸方向に延びるアームによって口部に接続される従来の接続具に比べて破損しにくい。
【０００９】
第２の発明に係るシリンジは、第１の発明において、前記凹部が、前記環状板の内周面における軸方向に関して前記胴部に近い方の端部に設けられており、前記凹部の前記軸方向に関して前記胴部から遠い方の内面が、前記凸部と軸方向に対向することを特徴とする。
【００１０】
この構成によると、口部に設けられた凸部が、円弧状部材の第１円弧板と、筒部材の凹部との間で軸方向に挟まれるため、円弧状部材および筒部材のシリンジ本体に対する軸方向移動をより確実に規制できる。
【００１１】
第３の発明に係るシリンジは、第１または第２の発明において、前記第１円弧板の内周面の角度が、１８０度より大きく、前記第１円弧板の内周面の周方向一端から他端までの開口幅が、前記口部の前記第１円弧板が装着される位置の外径よりも小さいことを特徴とする。
【００１２】
この構成によると、第１円弧板の内側に配置された口部が、第１円弧板の内周面の開口から抜け出にくくなるため、接続具の誤脱をより確実に防止できる。
【図面の簡単な説明】
【００１３】
【図１】本発明の実施形態に係るシリンジの斜視図である。
【図２】図１のＡ−Ａ線に沿ったシリンジの断面図である。
【図３】シリンジの分解斜視図である。
【図４】筒部材の斜視図である。
【図５】円弧状部材を取り外した状態のシリンジを口部の先端側から見た図である。
【発明を実施するための形態】
【００１４】
以下、本発明の実施の形態について説明する。
図１に示すように、本実施形態のシリンジ１は、シリンジ本体３と、シリンジ本体３に着脱可能に取り付けられた接続具２と、シリンジ本体３内で摺動可能なガスケット（図示省略）と、ガスケットを移動操作するプランジャー（図示省略）とを備えている。なお、以下のシリンジ１の説明において、シリンジ本体３の長手方向に沿った方向を「軸方向」という。また、図１〜３中の上方および下方を、前方および後方と称する。
【００１５】
本実施形態のシリンジ１は、予め薬液等が充填されたプレフィルドシリンジやその他の用途のシリンジとして使用できる。シリンジ１は、メスルアーテーパーが内周面に設けられた他部材に接続されて使用される。
【００１６】
図１および図２に示すように、シリンジ本体３は、円筒状の胴部４と、胴部４より小径の円筒状の口部５とを有する。プランジャー（図示省略）をシリンジ本体３の口部５側に移動させることによって、シリンジ本体３に収容された薬液等が口部５から排出される。シリンジ本体３は、合成樹脂で形成されている。
【００１７】
図３に示すように、口部５の基端部近傍の外周面には、複数の凸部７が周方向に並んで設けられている。また、口部５の外周面（凸部７を除く部分）は、先細り状に形成されている。口部５の外周面のうち凸部７よりも前側の部分が、他部材のメスルアーテーパーと嵌合するオスルアーテーパー６を構成する。
【００１８】
接続具２は、シリンジ本体３の口部５に着脱可能に取り付けられている。接続具２は、例えば、メスルアーテーパーが内周面に設けられ且つオスネジが外周面に設けられた他部材（図示省略）等にシリンジ１を接続する際に用いられる。上記以外の他部材と接続する場合であって、接続具２が邪魔になる場合には、接続具２は取り外される。接続具２は、合成樹脂で形成されており、筒部材１０と円弧状部材２０とを有する。
【００１９】
筒部材１０は、口部５と同軸に配置され、口部５の先端近傍から凸部７までの軸方向範囲を内側に収容するように口部５に装着される。筒部材１０は、筒本体１１と環状板１４とで構成されている。
【００２０】
筒本体１１の内周面には、他部材のオスネジと螺合可能なメスネジ１２が設けられている。また、筒本体１１の外周面には、複数のリブ１３が軸方向に沿って設けられている。このリブ１３は、筒本体１１を指で把持する際の滑りを防止する機能を有する。
【００２１】
環状板１４は、筒本体１１の後端に形成されており、筒本体１１の内周面および外周面から突出している。環状板１４の筒本体１１の外周面から突出した部分を外周端部１６とする。
【００２２】
図４に示すように、環状板１４の内周面には、複数の凹部１５が周方向に並んで設けられている。複数の凹部１５は、口部５に設けられた複数の凸部７と係合する。凸部７の側面は、凹部１５の側面に回転方向に対向している。そのため、筒部材１０の口部５に対する回転移動が規制される。これにより、筒部材１０のメスネジ１２に他部材のオスネジを螺合させる際に、筒部材１０が空回りするのを防止できる。
【００２３】
また、凹部１５は、環状板１４の内周面の後端に設けられており、凹部１５の前方は閉塞されている。凸部７の前面は、凹部１５の前面と対向する。凹部１５の軸方向長さは、凸部７の軸方向長さと同じかそれよりも若干大きい。
【００２４】
円弧状部材２０は、第１円弧板２１と、第１円弧板２１の前方に配置される第２円弧板２２と、第１円弧板２１と第２円弧板２２の外周端同士を連結する円弧状の連結部２３とで構成されている。第１円弧板２１および第２円弧板２２は、軸方向から見て口部５と同軸の円弧状の平板である。
【００２５】
第１円弧板２１は、凸部７および環状板１４の後面と当接または近接して配置されている。また、第２円弧板２２は、環状板１４の外周端部１６の前面と当接または近接して配置されている。環状板１４の外周端部１６は、第１円弧板２１と第２円弧板２２との間に挟まれている。そのため、円弧状部材２０および筒部材１０は、軸方向の相対移動が規制されている。連結部２３の軸方向長さ（第１円弧板２１と第２円弧板２２の離間距離）は、環状板１４の外周端部１６の軸方向長さと同じかそれよりも若干大きい。また、連結部２３の内径は、環状板１４の外径と同じかそれもよりも若干大きい。
【００２６】
また、凸部７は、第１円弧板２１の前面と、環状板１４の凹部１５の前面との間で、軸方向に挟まれている。この構成と、環状板１４の外周端部１６を第１円弧板２１と第２円弧板２２との間で挟むことで、筒部材１０および円弧状部材２０の軸方向の相対移動が規制されていることで、筒部材１０および円弧状部材２０は、シリンジ本体３に対して軸方向移動が規制されている。
【００２７】
第１円弧板２１の内径は、口部５の第１円弧板２１が装着される位置の外径Ｒ（図２参照）とほぼ同じかそれよりも若干大きい。図５に示すように、第１円弧板２１の内周面の角度は、約２４０度であって、第１円弧板２１の内周面の周方向一端から他端までの開口幅Ｗは、口部５の第１円弧板２１が装着される位置の外径Ｒ（図２参照）よりも小さい。そのため、口部５は、第１円弧板２１の内側から抜けにくくなっている。また、第１円弧板２１の外周面の角度は、約２８０度である。第１円弧板２１は、装着時に凸部７の後面もしくは環状板１４の後面に当接するようになっていればよい。
【００２８】
第２円弧板２２の内径は、筒本体１１の最大外径（リブ１３がある位置の外径）と同じかそれよりも若干大きい。第２円弧板２２の外周面の角度と内周面の角度はほぼ同じであって、約１８０度である。第２円弧板２２は、その後面が、装着時に環状板１４の外周端部１６の前面に当接するようになっていればよい。
【００２９】
接続具２をシリンジ本体３から取り外す際には、円弧状部材２０に軸方向に直交する方向に引き抜く力を作用させれば、第１円弧板２１は拡径方向に弾性変形し、第１円弧板２１の内周面の開口はＷよりも大きくなって、口部５が抜け出る。これにより、円弧状部材２０は、筒部材１０およびシリンジ本体３から取り外される。その後、筒部材１０を、口部５に対して前方に移動させることで、筒部材１０はシリンジ本体３から取り外される。
【００３０】
本実施形態のシリンジ１では、接続具２をシリンジ本体３から取り外す場合には、円弧状部材２０を軸方向に直交する方向に引き抜いてから、筒部材１０を軸方向に移動させて取り外す。したがって、接続具２を手で掴んだり、接続具２が他の器具等と接触しただけでは、接続具２が口部５から外れることがないため、接続具２の誤脱を防止できる。
また、筒部材１０および円弧状部材２０は、軸方向に突出する部分を有しないため、軸方向に延びるアームによって口部に接続される従来の接続具に比べて破損しにくい。
【００３１】
また、本実施形態では、第１円弧板２１の内周面の角度が、１８０度より大きく、第１円弧板２１の内周面の開口幅Ｗが、口部５の外径Ｒよりも小さくなっている。そのため、第１円弧板２１の内側に配置された口部５が、第１円弧板２１の内周面の開口から抜け出にくくなるため、接続具２の誤脱をより確実に防止できる。
【００３２】
以上、本発明の好適な実施の形態について説明したが、本発明は上述の実施形態に限られるものではなく、特許請求の範囲に記載した限りにおいて様々な変更が可能なものである。
【００３３】
上記実施形態では、凸部７および凹部１５は、それぞれ、環状板１４および口部５に周方向に並んで複数設けられているが、１つずつ設けられていてもよい。
【００３４】
上記実施形態では、凹部１５は環状板１４の内周面の後端部に設けられ、凹部１５の前方は閉塞されているが、凹部１５は軸方向に貫通していてもよい。この場合であっても、第１円弧板２１の内周端を、口部５と胴部４との連結部分と、凸部７との間で軸方向に挟むことで、円弧状部材２０のシリンジ本体３に対する軸方向移動を規制できるため、問題はない。但し、円弧状部材２０および筒部材１０のシリンジ本体３に対する軸方向移動をより確実に規制するには、上記実施形態の構成が好ましい。
【００３５】
上記実施形態では、第１円弧板２１の内周面の角度は、約２４０度であるが、２４０度より小さくてもよい。また、第１円弧板２１の内周面の周方向一端と他端との間に口部５を通過させることができれば、第１円弧板２１の内周面の角度は２４０度より大きくてもよい。なお、第１円弧板２１の内周面の角度は、１８０度より大きいことが好ましく、２２０〜２６０度が特に好ましい。
【００３６】
上記実施形態では、第１円弧板２１の外周面の角度は、約２８０度であるが、２８０度より小さくてもよい。また、第１円弧板２１の外周面の周方向一端と他端との間に口部５を通過させることができれば、第１円弧板２１の外周面の角度は２８０度より大きくてもよい。
【００３７】
上記実施形態では、第２円弧板２２の内周面の角度は、１８０度であるが、１８０度より小さくてもよい。また、第２円弧板２２の内周面の周方向一端と他端との間に筒本体１１を通過させることができれば、第２円弧板２２の内周面の角度は１８０度より大きくてもよい。第２円弧板２２の内周面の角度を１８０度より大きくして、第２円弧板２２の内周面の周方向一端から他端までの開口幅を筒本体１１の外径より小さくした場合、第２円弧板２２が筒本体１１から外れにくくなるため、接続具２の誤脱をより確実に防止できる。
【００３８】
上記実施形態では、第２円弧板２２の外周面の角度は、１８０度であるが、１８０度より小さくてもよい。また、第２円弧板２２の外周面の周方向一端と他端との間に筒本体１１を通過させることができれば、第２円弧板２２の外周面の角度は１８０度より大きくてもよい。
【００３９】
上記実施形態では、連結部２３の角度は、１８０度であるが、１８０度より小さくてもよい。また、連結部２３の周方向一端と他端との間に環状板１４を通過させることができれば、連結部２３の外周面の角度は１８０度より大きくてもよい。連結部２３の角度を１８０度より大きくして、連結部２３の周方向一端から他端までの開口幅を、環状板１４の外径より小さくした場合、連結部２３が環状板１４から外れにくくなるため、接続具２の誤脱をより確実に防止できる。
【００４０】
上記実施形態では、第１円弧板２１の内周面の角度と、第１円弧板２１の外周面の角度は異なっているが、同じであってもよい。
【００４１】
上記実施形態では、第２円弧板２２の内周面の角度と、第２円弧板２２の外周面の角度と、連結部２３の角度は、全て同じであるが、異なっていてもよい。
【００４２】
上記実施形態では、第１円弧板２１の外周面の角度と、第２円弧板２２の外周面の角度は異なっているが、同じであってもよい。
【符号の説明】
【００４３】
１  シリンジ
２  接続具
３  シリンジ本体
４  胴部
５  口部
６  オスルアーテーパー
７  凸部
１０  筒部材
１１  筒本体
１２  メスネジ
１４  環状板
１５  凹部
１６  外周端部
２０  円弧状部材
２１  第１円弧板
２２  第２円弧板
２３  連結部
【図１】
0005895724.tif 000002
【図２】
0005895724.tif 000003
【図３】
0005895724.tif 000004
【図４】
0005895724.tif 000005
【図５】
0005895724.tif 000006